(57)【要約】  高い滑り止め効果及び安定した把持感触が得られる凸部を有する筆記具のグリップを簡単な構造で提供する。グリップ（１）の表面に形成され細長形状の複数の第１凸部（２）と、第１凸部（２）と同形状の細長形状の第１凸部（２）と配置される方向を異にする複数の第２凸部（３）とを備え、第１凸部（２）は、細長形状の長手方向（１５）がグリップ（１）の軸方向（Ｊ）に対して所定傾斜角度（α）で傾斜して配置されるとともに所定ピッチ（Ｐ）で軸方向（Ｊ）に配列されて第１列（１２）を形成しており、第２凸部（３）は、長手方向（１５）が軸方向（Ｊ）に対して反対方向に所定傾斜角度（α）で傾斜して配置されるとともに所定ピッチ（Ｐ）で軸方向（Ｊ）に配列されて第１列（１２）と隣接する第２列（１３）を形成しており、第１列（１２）と第２列（１３）とはグリップ（１）の周方向に交互に繰り返して配設されている。
2009119822.tif 000002
【特許請求の範囲】
【請求項１】
筆記具の軸筒の把持部に装着する軟質材からなる筆記具のグリップであって、
前記グリップの表面に形成され細長形状の第１凸部または第１凹部からなる複数の第１単位部と、
前記グリップの前記表面に形成され前記第１単位部と同形状の細長形状の第２凸部または第２凹部からなり前記第１単位部と配置される方向を異にする複数の第２単位部と
を備え、
前記第１単位部は、前記細長形状の長手方向が前記グリップの軸方向に対して所定傾斜角度で傾斜して配置されるとともに所定ピッチで前記軸方向に配列されて第１列を形成しており、
前記第２単位部は、前記細長形状の前記長手方向が前記軸方向に対して反対方向に前記所定傾斜角度で傾斜して配置されるとともに前記所定ピッチで前記軸方向に配列されて前記第１列と隣接する第２列を形成しており、
前記第１列と前記第２列とは前記グリップの周方向に交互に繰り返して配設されている
ことを特徴とする筆記具のグリップ。
【請求項２】
前記第１列を形成する前記第１単位部と前記第１列に隣接する前記第２列を形成する前記第２単位部とは、前記所定ピッチの長さより小さいずれ長さだけ前記軸方向にずれて配列されている
ことを特徴とする請求項１に記載の筆記具のグリップ。
【請求項３】
前記ずれ長さは、前記所定ピッチの半分の長さである
ことを特徴とする請求項２に記載の筆記具のグリップ。
【請求項４】
前記ずれ長さは、ゼロである
ことを特徴とする請求項２に記載の筆記具のグリップ。
【請求項５】
前記第１単位部は前記第１凸部からなり前記第２単位部は前記第２凸部からなる
ことを特徴とする請求項１に記載の筆記具のグリップ。
【請求項６】
前記第１単位部は前記第１凹部からなり前記第２単位部は前記第２凹部からなる
ことを特徴とする請求項１に記載の筆記具のグリップ。
【請求項７】
前記第１列を形成する隣接する２つの前記第１凸部の前記軸方向の間隔は前記第１凸部の前記表面からの高さの２倍よりも大きくある
ことを特徴とする請求項５に記載の筆記具のグリップ。
【請求項８】
前記第１列を形成する前記第１凸部と前記第１列に隣接する前記第２列を形成する前記第２凸部との間の前記周方向の間隔は前記第１凸部の前記表面からの高さと前記第２凸部の前記表面からの高さとの和よりも大きくある
ことを特徴とする請求項５に記載の筆記具のグリップ。
【請求項９】
前記第１列を形成する前記第１凸部と前記第１列に隣接する前記第２列を形成する前記第２凸部との間の前記周方向の間隔は、前記第１列を形成する隣接する２つの前記第１凸部の前記軸方向の間隔と等しい
ことを特徴とする請求項５に記載の筆記具のグリップ。
【請求項１０】
前記所定傾斜角度は３０度から６０度の範囲にある
ことを特徴とする請求項１に記載の筆記具のグリップ。
【請求項１１】
前記所定傾斜角度は４５度である
ことを特徴とする請求項１０に記載の筆記具のグリップ。
【請求項１２】
前記細長形状は、中間部にある長方形部と、前記長方形部の両端にある半円部とを有する
ことを特徴とする請求項１に記載の筆記具のグリップ。
【請求項１３】
請求項１乃至請求項１２のいずれか１項に記載のグリップを備える
ことを特徴とする筆記具。
【発明の詳細な説明】
【技術分野】
【０００１】
本発明は、軸筒の把持部に装着する軟質材からなる筆記具のグリップに関する。
【背景技術】
【０００２】
従来から、軸筒の把持部に装着する軟質材からなる筆記具のグリップにおいて、把持した時の滑り止め効果を向上させることを目的として、グリップの外壁面に凹状または凸状に形成された凹凸部を有する筆記具のグリップはよく知られている。【０００３】
こうした筆記具にグリップにあって、把持した時の滑り止め効果向上及び把持感触を向上させるために、特開平１０−１８１２７４号公報「筆記具のグリップ」や特開２００３−１５４７８２号「グリップ」等に開示されているように、グリップの外壁面に溝を形成している筆記具のグリップが開示されている。【０００４】
また、特開２０００−３２６６８２号公報「筆記具の筆記軸体」では、適度なクッション効果を得るために、溝の形成位置や溝の深さや溝の幅等を特定することが開示されている。【０００５】
特許文献１  特開平１０−１８１２７４号公報
特許文献２  特開２００３−１５４７８２号公報
特許文献３  特開２０００−３２６６８２号公報
【発明の開示】
【発明が解決しようとする課題】
【０００６】
ところで、特許文献１〜３のように、溝を形成したグリップにおいてより高い滑り止め効果及び良好な把持感触を得るには、溝を形成することによって得られる板状突起を変形し易く形成することが重要であり、板状突起を変形し易くするためには、溝の幅や深さを大きくすること、あるいは使用する材質を軟らかいものにすることが考えられる。【０００７】
しかしながら、溝の幅や深さを大きくするには、グリップ外径を大きくする必要があり、このために、小径のグリップ部材では溝の幅や深さを大きくすることは困難であった。また、使用する材質を軟らかいものにするために硬度を特定すると使用できる軟質材が制限されてしまう等の問題があった。【０００８】
さらに、特許文献１〜３では、板状突起をグリップの円周方向など一定方向に並んで設けられており、板状突起が変形してグリップの軸線方向に倒れ込むことで滑り止め効果を得ているが、グリップのの軸方向の抵抗が得られず、グリップの円周方向の一定方向の抵抗しか得られないという問題があった。【０００９】
そこで、本発明の目的は、高い滑り止め効果及び安定した把持感触が得られることを可能にする簡単な構造の、筆記具のグリップを提供することである。
【課題を解決するための手段】
【００１０】
上記目的を達成するために、本発明は、筆記具の軸筒の把持部に装着する軟質材からなる筆記具のグリップであって、
前記グリップの表面に形成され細長形状の第１凸部または第１凹部からなる複数の第１単位部と、
前記グリップの前記表面に形成され前記第１単位部と同形状の細長形状の第２凸部または第２凹部からなり前記第１単位部と配置される方向を異にする複数の第２単位部と
を備え、
前記第１単位部は、前記細長形状の長手方向が前記グリップの軸方向に対して所定傾斜角度で傾斜して配置されるとともに所定ピッチで前記軸方向に配列されて第１列を形成しており、
前記第２単位部は、前記細長形状の前記長手方向が前記軸方向に対して反対方向に前記所定傾斜角度で傾斜して配置されるとともに前記所定ピッチをおいて前記軸方向に配列されて前記第１列と隣接する第２列を形成しており、
前記第１列と前記第２列とは前記グリップの周方向に交互に繰り返して配設されている
ことを特徴とする。【００１１】
また、前記第１列を形成する前記第１単位部と前記第１列に隣接する前記第２列を形成する前記第２単位部とは、前記所定ピッチの長さより小さいずれ長さだけ前記軸方向にずれて配列されていることを特徴とする。【００１２】
また、前記ずれ長さは、前記所定ピッチの半分の長さであることを特徴とする。【００１３】
また、前記ずれ長さは、ゼロであることを特徴とする。【００１４】
また、前記第１単位部は前記第１凸部からなり前記第２単位部は前記第２凸部からなることを特徴とする。【００１５】
また、前記第１単位部は前記第１凹部からなり前記第２単位部は前記第２凹部からなることを特徴とする。【００１６】
また、前記第１列を形成する隣接する２つの前記第１凸部の前記軸方向の間隔は前記第１凸部の前記表面からの高さの２倍よりも大きくあることを特徴とする。【００１７】
また、前記第１列を形成する前記第１凸部と前記第１列に隣接する前記第２列を形成する前記第２凸部との間の前記周方向の間隔は前記第１凸部の前記表面からの高さと前記第２凸部の前記表面からの高さとの和よりも大きくあることを特徴とする。【００１８】
また、前記第１列を形成する前記第１凸部と前記第１列に隣接する前記第２列を形成する前記第２凸部との間の前記周方向の間隔は、前記第１列を形成する隣接する２つの前記第１凸部の前記軸方向の間隔と等しいことを特徴とする。【００１９】
また、前記所定傾斜角度は３０度から６０度の範囲にあることを特徴とし、好ましくは、前記所定傾斜角度は４５度であることを特徴とする。【００２０】
また、前記細長形状は、中間部にある長方形部と、前記長方形部の両端にある半円部とを有することを特徴とする。【００２１】
また、本発明に係る筆記具は、上記グリップを備えることを特徴とする。【００２２】
本発明の軟質材には、弾性変形可能なシリコーンゴム、天然ゴム、ブチルゴム、フッ素ゴム、塩化ビニル樹脂、ブタジエンゴム、ウレタンゴム、ポリエチレン樹脂、その他合成ゴム、熱可塑性エラストマー等、筆記具のグリップ部材として一般的に知られている軟質材のなかから適宜選定して用いることができる。【００２３】
本願発明の構成によれば、前記第１単位部は、前記細長形状の長手方向が前記グリップの軸方向に対して所定傾斜角度で傾斜して配置されるとともに所定ピッチで前記軸方向に配列されて第１列を形成しており、前記第２単位部は、前記細長形状の前記長手方向が前記軸方向に対して反対方向に前記所定傾斜角度で傾斜して配置されるとともに前記所定ピッチをおいて前記軸方向に配列されて前記第１列と隣接する第２列を形成しており、前記第１列と前記第２列とは前記グリップの周方向に交互に繰り返しているので、前記第１列と前記第１列に対し一方側に隣接する前記第２列との間と前記第１列と前記第１列に対し他方側に隣接する前記第２列との間とには、軸方向に関して逆方向の矢印状に向く第１長手状隙間と第２長手状隙間が形成される。また、１個の第１単位部に着目した場合に、この第１単位部と周方向の一方側に対向する１個の第２単位部との間に形成される第１単位隙間と、この第１単位部と周方向の他方側に対向する１個の第２単位部との間に形成される第２単位隙間とを、互いに類似するが異なる形状に形成することができる。【００２４】
これらの結果、本願発明の構成によれば、前記第１単位部と前記第２単位部とを簡易に配列させたにもかかわらず、第１長手状隙間と第２長手状隙間や第１単位隙間と第２単位隙間を形成するというように、グリップに種々の大きさと形状の隙間を形成することが可能になり、グリップを把持する指の面をグリップの任意の位置で円滑に確実になじませることが可能となり、高い滑り止め効果及び安定した把持感触を得ることが可能になる。【００２５】
また、前記第１列を形成する隣接する２つの前記第１凸部の前記軸方向の間隔は前記第１凸部の前記表面からの高さの２倍よりも大きくあるので、前記第１列を形成する隣接する２つの前記第１凸部が指で把持され把持力により変形し向かいあう方向に押し倒された場合においても、前記第１列を形成する隣接する２つの前記第１凸部が接触することがないため互いに干渉しあうことがなく、高い滑り止め効果及び安定した把持感触を得ることが可能になる。【００２６】
また、前記第１列を形成する前記第１凸部と前記第１列に隣接する前記第２列を形成する前記第２凸部との間の前記周方向の間隔は前記第１凸部の前記表面からの高さと前記第２凸部の前記表面からの高さとの和よりも大きくあるので、前記第１凸部とこれに周方向に隣接する前記第２凸部が指で把持され把持力により変形し向かいあう方向に押し倒された場合においても、前記第１凸部と前記第２凸部が接触することがないため互いに干渉しあうことがなく、高い滑り止め効果及び安定した把持感触を得ることが可能になる。【００２７】
また、前記第１列を形成する前記第１凸部と前記第１列に隣接する前記第２列を形成する前記第２凸部との間の前記周方向の間隔は、前記第１列を形成する隣接する２つの前記第１凸部の前記軸方向の間隔と等しいので、第１凸部と第２凸部にまたがって把持したときの感触が近似するため安定した把持感触を得ることができる。
【図面の簡単な説明】
【００２８】
【図１】本願発明の筆記具のグリップの一実施形態を示す図である。
【図２】図１における筆記具のグリップの一部を示す拡大図である。
【図３】図１におけるＡ−Ａ断面図である。
【図４】筆記具のグリップをノック式筆記具の軸筒に装着した状態を示す縦断面図である。
【図５】本願発明の筆記具のグリップの他の実施形態を示す拡大図である。
【図６】本願発明の筆記具のグリップのさらに他の実施形態を示す図である。
【発明を実施するための最良の形態】
【００２９】
次に図面を参照しながら、本発明の筆記具のグリップの実施形態を説明するが、本発明は以下の実施形態に限定されるものではない。【００３０】
図１から３に示す第１の実施形態に係る筆記具のグリップ１は、ショアー硬度がＨｓ（ＪＩＳ  Ａ）７０の不透明のオレフィン系熱可塑性エラストマーを軟質材として用い射出成形で形成したものである。グリップ１はほぼ円筒形状を有する。【００３１】
本実施形態では、第１単位部はグリップ１の表面に細長形状の第１凸部２として形成され、第２単位部はグリップ１の表面に細長形状の第２凸部３として形成されている。【００３２】
第１凸部２は、細長形状の長手方向１５がグリップ１の軸方向Ｊに対して所定傾斜角度（α）で傾斜して配置されるとともに所定ピッチＰで軸方向Ｊに配列されて第１列１２を形成している。この細長形状は、具体的には、図２等に示すように、例えば中間部に長方形部２５と長方形部２５の両端側にある半円部２６とを有する。両端の半円形状を結ぶ方向に長手方向１５が向いている。ここでは、所定傾斜角度（α）は４５度に設定されている。【００３３】
第２凸部３は、細長形状の長手方向１５が軸方向Ｊに対して反対方向に所定傾斜角度（α）で傾斜して配置されるとともに所定のピッチＰで軸方向Ｊに配列されて第２列１３を形成している。ピッチＰとは、図１に示すように、軸方向Ｊに隣接する二つの第１凸部２または第２凸部３の間の間隔をいう。【００３４】
第１列１２と第２列１３とは、軸方向Ｊに直交する方向であるグリップ１の周方向に、交互に繰り返してグリップ１の周方向の全面に配設されている。【００３５】
第１列１２を形成する第１凸部２と隣接する第２列１３を形成する第２凸部３とは、所定ピッチＰより小さい長さのずれ長さｄＰだけ軸方向Ｊにずれて配列されている。本実施形態では、ずれ長さｄＰはピッチＰの半分の長さに設定されている。【００３６】
第１列１２を形成する隣接する２つの第１凸部２の軸方向Ｊの間隔Ｌは第１凸部２のグリップ１の基準の表面からの高さＳの２倍よりも大きくあるように設定されている（Ｌ＞２Ｓ）。ここで、間隔Ｌとは、図１に示すように、二つの第１凸部２の対向する内側の端部間の間隔をいう。【００３７】
第１列１２を形成する第１凸部２と隣接する第２列１３を形成する第２凸部３との間の周方向の周面上間隔Ｎは第１凸部２の高さＳと第２凸部３の表面からの高さＴとの和よりも大きくあるように設定されている（Ｎ＞（Ｓ＋Ｔ））。ここで、第１凸部２の高さＳと第２凸部３の高さＴとはほぼ同じ大きさを有する（Ｓ≒Ｔ）。【００３８】
また、周面上間隔Ｎは、第１列１２を形成する隣接する２つの第１凸部２の軸方向Ｊの間隔Ｌとほぼ等しいように設定されている（Ｎ＝Ｌ）。ここで、周面上間隔Ｎとは、図１に示すように、第１列１２と第２列１３の対向する側の各々の輪郭線の間のグリップ１の周面上の間隔をいう。なお、周面上間隔Ｎは、グリップ１の周面上の間隔に代えて、第１列１２と第２列１３の対向する側の各々の輪郭線の間の直線的な間隔として近似することも可能である。【００３９】
次に、具体的な寸法の例を示す。  
第１凸部２と第２凸部３の軸方向Ｊの所定ピッチＰは２．０ｍｍである。隣接する第１凸部２間の間隔Ｌは０．４ｍｍである。第１凸部２の高さＳは０．０５ｍｍであり、第２凸部３の高さＴは０．０５ｍｍである。第１凸部２と第２凸部３を周方向の周面上間隔Ｎは０．４ｍｍである。第１凸部２と第２凸部３の細長形状の長手方向１５の両端間の長さは３ｍｍであり幅は０．８ｍｍである。【００４０】
上述のように、間隔Ｌ＝０．４ｍｍと高さＳの２倍＝０．１ｍｍとの間には（Ｌ＞２Ｓ）の関係が成立している。また、周面上間隔Ｎ＝０．４ｍｍ  と第１凸部２の高さＳと第２凸部３の表面からの高さＴとの和（Ｓ＋Ｔ）＝０．１ｍｍとの間には（Ｎ＞（Ｓ＋Ｔ））が成立している。また、周面上間隔Ｎ＝０．４ｍｍと間隔Ｌ＝０．４ｍｍととの間には等しいという関係が成立している。【００４１】
このように、第１列１２を形成する隣接する２つの第１凸部２の軸方向Ｊの間隔Ｌは第１凸部２の表面からの高さの２倍２Ｓよりも大きくあるので、第１列１２を形成する隣接する２つの第１凸部２が指で把持され把持力により変形し向かいあう方向に押し倒された場合においても、隣接する２つの第１凸部２が接触することがないため互いに干渉しあうことがなく、高い滑り止め効果及び安定した把持感触を得ることが可能になる。【００４２】
また、第１列１２を形成する第１凸部２と第１列１２に隣接する第２列１３を形成する第２凸部３との間の周方向の間隔Ｎは第１凸部２の表面からの高さＳと第２凸部３の表面からの高さＴとの和よりも大きいので、第１凸部２とこれに周方向に隣接する第２凸部３が指で把持され把持力により変形し向かいあう方向に押し倒された場合においても、第１凸部２と第２凸部３が接触することがないため互いに干渉しあうことがなく、高い滑り止め効果及び安定した把持感触を得ることが可能になる。【００４３】
また、第１列１２を形成する第１凸部２と第１列１２に隣接する第２列１３を形成する第２凸部３との間の周方向の間隔Ｎは、隣接する２つの第１凸部２の軸方向Ｊの間隔Ｌと等しいので、第１凸部２と第２凸部３にまたがって把持したときの感触が近似するため安定した把持感触を得ることができる。【００４４】
次に、本実施形態によれば、グリップ１の表面上に種々の形状の隙間が形成されていることを説明する。  
図１に示されるように、第１列１２と第１列１２に対し一方側に隣接する第２列１３との間には軸方向Ｊに関し矢印状に向く第１長手状隙間１７が形成されている。また、第１列１２と第１列１２に対し他方側に隣接する第２列１３との間には、第１長手状隙間１７とは軸方向Ｊに関して逆方向の矢印状に向く第２長手状隙間１８が形成される。【００４５】
また、１個の第１凸部２に着目した場合に、この第１凸部２と周方向の一方側に対向する１個の第２凸部３との間には第１単位隙間１９が形成されている。また、この着目する第１凸部２と周方向の他方側に対向する１個の第２凸部３との間には第２単位隙間２０が形成されている。第１単位隙間１９と第２単位隙間２０とは、軸方向Ｊに関して逆方向の矢印状の関係にある。【００４６】
上述のように、第１長手状隙間１７と第２長手状隙間１８とは、互いに類似する形状ではあるが互いに方向を異にする形状を呈している。また、第１単位隙間１９と第２単位隙間２０とは、互いに類似する形状ではあるが互いに異なる形状を呈している。これらの結果、本実施形態の構成によれば、第１凸部２と第２凸部３とを簡易に配列させたにもかかわらず、第１長手状隙間１７と第２長手状隙間１８との関係や第１単位隙間１９と第２単位隙間２０との関係から明らかなように、グリップ１に種々の大きさと形状の隙間を形成することが可能になる。そして、グリップ１を把持する指の面をグリップ１の任意の位置や方向で円滑に確実になじませることが可能となり、高い滑り止め効果及び安定した把持感触を得ることが可能になる。【００４７】
次に、所定傾斜角度（α）について説明する。所定傾斜角度（α）の大きさは次のようなことを考慮して設定されたものである。【００４８】
所定傾斜角度（α）を軸方向Ｊに対してゼロ度に設定する場合には、グリップ１を把持する指面はグリップ１の主に周方向に抵抗を形成し、所定傾斜角度（α）を軸方向Ｊに対して９０度に設定する場合には、グリップ１を把持する指面はグリップ１の主に軸方向Ｊに抵抗を形成する。これに対して、所定傾斜角度（α）をゼロ度と９０度の間に設定する場合には、周方向のみに単独に抵抗に形成したり軸方向Ｊのみに単独に抵抗に形成したりする場合と異なり、周方向及び軸方向Ｊの双方へグリップ１を把持する際の抵抗を指面に付与することが可能になり、滑り止め効果を全体的に高くすることができる。この意味で、所定傾斜角度（α）をゼロ度と９０度の間に設定することが有利である。【００４９】
次に、所定傾斜角度（α）をゼロ度と９０度の間のどの値に設定するかが良いのかについて説明する。  
紙面とペン先との間で安定した接触を維持し適度な筆圧を維持する上では、紙面に向かって軸方向Ｊへの把持する際の抵抗を持たせる必要があり、この観点から所定傾斜角度（α）がより大きいことが好ましい。【００５０】
一方、実際の筆記時には軸方向Ｊが紙面に対し垂直ではなく筆記角度が生じるため、筆圧は軸方向Ｊに対して平行又は垂直に加わるだけでなく、親指と人差し指が閉じる方向（所定傾斜角度（α）を小さくする方向）へ把持力が加わる。このために、親指と人差し指が閉じる方向へ滑り止め効果を高くするという観点から、所定傾斜角度（α）は大きくしすぎない方がよい。【００５１】
また、第１列１２と第２列１３との間には周方向に間隔Ｎが存在し、間隔Ｎは所定傾斜角度（α）の値に依存することなく周方向に抵抗を生成する要素となり、これによって周方向に対する抵抗を得られる。このため、親指と人差し指が閉じる方向へ滑り止め効果を高くするという観点を強調しすぎる必要もない。【００５２】
以上のように、所定傾斜角度（α）を大きくするべきであるという観点と所定傾斜角度（α）を小さくすべきであるという観点との相反する両観点を考慮し、周方向及び軸方向の双方へ適度の抵抗を生じさせる上で適度な所定傾斜角度（α）の大きさを決めるために所定傾斜角度（α）を種々の大きさにして試行実験を行った。この試行実験の結果によれば、個人差等をも考慮すると所定傾斜角度は３０度から６０度の範囲にあることが好ましいことが確認された。また、さらに好ましくは、個人差の要因等が捨象されて前記所定傾斜角度（α）は４５度であることが適当であると確認された。【００５３】
そこで、本実施形態では、所定傾斜角度（α）は４５度に設定されている。なお、所定傾斜角度（α）が４５度であるとは、厳密に４５度という値であるという意味ではなくプラスマイナス３度以内の角度幅を有してもよい。【００５４】
次に、図２を参照して、第１列１２を形成する第１凸部２と隣接する第２列１３を形成する第２凸部３とは、ピッチＰの半分の長さのずれ長さｄＰだけ軸方向Ｊにずれて配列されていることの意義について説明する。【００５５】
図２において、第１単位隙間１９の領域Ｋを点線で囲んで示す。比較のために、図５にずれ長さｄＰをゼロにした場合を示し、第１単位隙間１９の領域Ｍを点線で囲んで示す。【００５６】
第１単位隙間１９の領域Ｋと領域Ｍとを比較した場合に、領域Ｋは領域Ｍに比べてより狭く形成されている。また、領域Ｋの周辺領域は周方向に対して非対称的に形成され領域Ｍの周辺領域に比べてより複雑な輪郭形状を形成し、領域Ｋはより複雑な形状の周辺領域を有する。【００５７】
この結果、本実施形態によれば、第１列１２を形成する第１凸部２と隣接する第２列１３を形成する第２凸部３とは、ピッチＰの半分の長さのずれ長さｄＰだけ軸方向Ｊにずれて配列されているので、グリップ１に接触する指の表面により快適な把持感触を得ることが可能になる。【００５８】
次に、図５を参照して、本願発明の他の実施形態について説明する。  
前述したように、図５に示す実施形態では、第１列１２を形成する第１凸部２と隣接する第２列１３を形成する第２凸部３とは、ずれ長さｄＰがゼロであり第１列１２と第２列１３とは軸方向Ｊに対して対称に配列されている。  
本実施形態においても、前述の実施形態の場合と厳密な形状が異なるとしても、同様に第１長手状隙間１７、第２長手状隙間１８、第１単位隙間１９及び第２単位隙間２０がグリップ１の表面に形成される。【００５９】
この結果、本実施形態の構成によれば、グリップ１を把持する指の面をグリップ１の任意の位置や方向で円滑に確実になじませることが可能となり、高い滑り止め効果及び安定した把持感触を得ることが可能になる。また、ずれ長さｄＰがゼロであるので、製造が容易になりより製造コストを低くすることができる。【００６０】
次に、図６を参照して、本願発明のさらに他の実施形態について説明する。  
図６に示す実施形態では、第１単位部はグリップ１の表面に細長形状の第１凹部２２として形成され、第２単位部はグリップ１の表面に細長形状の第２凹部２３として形成されている。第１凹部２２と第２凹部２３とは、グリップ１の基準表面に対し内部側へ窪んた形状に形成されている。【００６１】
本実施形態においても、前述の実施形態の場合と厳密な形状が異なるとしても、同様に第１長手状隙間１７、第２長手状隙間１８、第１単位隙間１９及び第２単位隙間２０がグリップ１の表面に形成される。【００６２】
この結果、本実施形態の構成によれば、グリップ１を把持する指の面をグリップ１の任意の位置や方向で円滑に確実になじませることが可能となり、高い滑り止め効果及び安定した把持感触を得ることが可能になる。【００６３】
次に図４を参照して、上述の実施形態に係る筆記具のグリップ１を装着したノック式ボールペンを示す。  
このノック式ボールペンは、前軸４と後軸５を螺着して軸筒本体を形成する。前軸４の把持部は、外径が小径に形成してあり、この把持部に、実施例１の筆記具グリップ１を装着してある。【００６４】
また、前軸４には、口先部材６を螺着し、口先部材６の後端面と前軸４の段部間に、筆記具のグリップ１を圧縮した状態で保持してある。さらに、軸筒本体内に、インキ収容筒９の先端部に、ボールペンチップ１０を装着したボールペンレフィルをコイルスプリング１１によって後方に付勢して収納してあり、後軸５内に具備した回転カム８による出没機構によって、ノック体７を押圧することで、ボールペンチップ９を口先部材６の先端開口部６ａから出没可能としてある。【００６５】
尚、本実施例では、軸筒本体の把持部に装着するのに、予めグリップを成形して、その後、軸筒本体と装着してあるが、グリップと軸筒本体と２色成形により一体に形成してもよい。【００６６】
なお、上述の種々の実施形態の説明において、第１単位部と第２単位部の組として、両者が凸部の場合、両者が凹部の場合について示したが、一方が凸部で他方が凹部であってもよい。【００６７】
また、細長形状として中間部に長方形部２５と長方形部２５の両端側にある半円部２６とを有する中心に対し対称の場合を例にとり説明したが、細長形状としては、中心に対し対称の形状であることに限定されず、例えば、長手方向の片側が太く他側が狭く形成されるような場合であってもよい。【００６８】
また、グリップ１の形状としては、円筒形状を想定して説明したが、軸方向Ｊに同じ径を有する厳密に円筒形状であることに限定されず、軸方向Ｊに対して半径が多少変動している場合、例えば、樽状等の場合であってもよい。また、円筒形状に限らず、角筒形状であってもよい。【００６９】
また、ずれ長さｄＰがピッチＰの半分の場合とゼロの場合を示したが、ずれ長さｄＰは例えばピッチＰ/４やピッチ３Ｐ/４等であってもよい。
【産業上の利用可能性】
【００７０】
本発明の筆記具のグリップは、筆記体の種類やノック式、キャップ式に限定されることなく、軸筒の把持部に装着する筆記具のグリップとして広く実施可能である。
【図１】
2009119822.tif 000003
【図２】
2009119822.tif 000004
【図３】
2009119822.tif 000005
【図４】
2009119822.tif 000006
【図５】
2009119822.tif 000007
【図６】
2009119822.tif 000008
【国際調査報告】
2009119822.tif 000009
2009119822.tif 000010
2009119822.tif 000011
2009119822.tif 000012